【事件の表示】
　特願２０１１−５１０６８１「異なる種類の撮像装置を有するモノリシックカメラアレイを用いた画像の撮像および処理」拒絶査定不服審判事件〔平成２１年１２月１７日国際公開、ＷＯ２００９／１５１９０３、平成２３年　８月１１日国内公表、特表２０１１−５２３５３８〕について、次のとおり審決する。
【結　論】
　本件審判の請求は、成り立たない。
【理　由】
１．手続の経緯
　本願は、２００９年５月２０日（パリ条約による優先権主張外国庁受理２００８年５月２０日、米国）を国際出願日として出願したものであって、平成２３年１月１２日付けで手続補正がなされ、平成２５年７月１１日付けで拒絶理由の通知がなされ、これに対し、平成２６年１月１６日付けで手続補正がなされたが、平成２６年８月２７日付けで拒絶査定がなされたものである。
　本件は、上記拒絶査定を不服として平成２６年１２月２６日付けで請求された拒絶査定不服審判である。
２．本願発明
　本願の請求項１ないし２５に係る発明は、平成２６年１月１６日付けで補正された特許請求の範囲の請求項１ないし２５に記載されたとおりのものであり、そのうち、請求項１４に係る発明（以下、「本願発明」という。）は、次のとおりである。
　なお、（Ａ）〜（Ｈ）については、説明のために当審で付したものである。（以下、「構成Ａ」、・・・、「構成Ｈ」という。）
「（Ａ）複数のセンサ素子が形成された半導体基板と、複数のレンズ素子を含むウェハレベルオプティクスと、を含むモノリシック集積モジュールを備え、
　（Ｂ）前記ウェハレベルオプティクスおよび前記センサ素子は、複数のカメラを形成し、
　（Ｃ）前記半導体基板は、各カメラを独立して動作可能にするように構成された制御回路を含み、
　（Ｄ）前記各カメラは、分離された光学系および複数のセンサ素子を含み、かつシーンの画像を撮像するように構成され、
　（Ｅ）前記各カメラの光学系は、各カメラが、他のカメラの視野に対してシフトされた視野を有するように構成され、かつ各シフトがシーンの視野でシフトされた固有のサブピクセルを含んで構成され、
　（Ｆ）前記各カメラは、少なくとも３つの異なるカラーフィルタのうちの１つを含み、
　（Ｇ）同一の型のフィルタを有するカメラは、前記複数のカメラの幾何学的中心の周囲に均一に分布する、
　（Ｈ）カメラアレイ。」
３．刊行物１発明
　原審の拒絶理由に引用された、特開２００６−３３４９３号公報（以下、「刊行物１」という。）には、「撮像装置」として、図面とともに以下の事項が記載されている。
（ア）「【０００２】
　近年市場規模が大きくなりつつあるデジタルスチルカメラの市場においては、より携帯性に優れた小型・薄型のカメラに対するニーズが高まってきている。信号処理を担うＬＳＩ等の回路部品は、配線パターンの微細化などにより高機能で小型化が進んでいる。また、記録メディアも小型・大容量のものが廉価にて入手できるようになってきている。しかしながら、レンズとＣＣＤやＣＭＯＳなどの固体撮像素子とで構成される撮像系の小型化は未だ十分とは言えず、より携帯性に優れたカメラを実現するためにも小型の撮像系の開発が要望されている。
【０００３】
　撮像系の小型化を実現するための構成として、平面上に複数の微小レンズを配列したレンズアレイ光学系を用いた撮像装置が知られている。従来の光軸上に複数のレンズを並べた光学系は、光軸方向に長くなるため体積が増大し、またレンズ径が大きいため収差が大きくなるという問題を有していた。これに対して、レンズアレイ光学系は、光軸方向に薄くでき、かつ個々の微小レンズ径が小さいため収差を比較的小さく抑えることが可能である。
【０００４】
　このようなレンズアレイを用いた撮像装置が特許文献１に開示されている。この撮像装置は、図６に示すように、被写体側から順に、複数の微小レンズ１１１ａが同一平面内に配列された微小レンズアレイ１１１と、各微小レンズ１１１ａからの光信号が互いに混信しないように分離するための格子枠状の隔壁１１２ａからなる隔壁層１１２と、多数の光電変換素子１１３ａが同一平面内に配置された受光素子アレイ１１３とを備える。１つの微小レンズ１１１ａと、これに対応する、隔壁１１２ａによって分離された１つの空間と、複数の光電変換素子１１３ａとが、１つの結像ユニット１１５を構成する。個々の結像ユニット１１５において、微小レンズ１１１ａが、対応する複数の光電変換素子１１３ａ上に被写体像を結像する。これにより、結像ユニット１１５ごとに撮影画像が得られる。この撮影画像の解像度は１つの結像ユニット１１５を構成する光電変換素子１１３ａの数（画素数）に依存する。被写体に対する個々の微小レンズ１１１ａの相対的位置が異なることにより、複数の光電変換素子１１３ａ上に形成される被写体像の結像位置が結像ユニット１１５ごとに異なる。その結果、得られる撮影画像は結像ユニット１１５ごとに異なる。この互いに異なる複数の撮影画像を信号処理することにより、一つの画像を得ることができる。
【０００５】
　この撮像装置では、個々の結像ユニット１１５を構成する画素数は少ないため、個々の結像ユニット１１５から得られる撮影画像の画質は低いが、複数の結像ユニット１１５においてそれぞれ得られる少しずつずれた撮影画像を用いて信号処理して画像を再構築することにより、多数の光電変換素子で撮影した場合と同様の画質の映像を得ることができる。
【０００６】
　図６の撮像装置では、微小レンズ１１１ａからの光がこの微小レンズ１１１ａと対応しない隣の結像ユニット１１５の光電変換素子１１３ａに入射する（この現象を「クロストーク」と呼ぶ）と、高画質の画像を再構築できなかったり、迷光が発生して画質が劣化したり、光損失を生じたりする。従って、クロストークを防止するために、隔壁層１１２が用いられている。特許文献１では、これと同様の効果は、隔壁層１１２に代えて、結像ユニット１１５ごとに偏向方向が直交するように偏向透過フィルタを配置した偏向フィルタアレイを微小レンズアレイ１１１面及び受光素子アレイ１１３面にそれぞれ配置しても得られると記載されている。
【特許文献１】特開２００１−６１１０９号公報」
（イ）「【００２５】
　図１から図３において、１０は第１平面内に縦横方向に配列された多数の画素１１を備える固体撮像素子（例えば、ＣＣＤやＣＭＯＳ）、２０は、第１平面と平行で且つ離間した第２平面内に縦横方向に配列された複数の微小レンズ２１を備える微小レンズアレイである。
【００２６】
　３１は、第１平面と平行で、且つ第１平面よりも被写体側の第３平面内に縦横方向に配列された複数のカラーフィルタを備える第１カラーフィルタアレイである。３２は、第１平面と平行で、且つ第３平面と第１平面との間に位置する第４平面内に縦横方向に配列された複数のカラーフィルタを備える第２カラーフィルタアレイである。本実施の形態では、第１及び第２カラーフィルタアレイ３１，３２は、赤色光を選択的に透過するカラーフィルタＲと、緑色光を選択的に透過するカラーフィルタＧと、青色光を選択的に透過するカラーフィルタＢとを備え、これらが格子枠状に区分された各領域内に市松模様状に配置されている。第１カラーフィルタアレイ３１と第２カラーフィルタアレイ３２とは、カラーフィルタＲ，Ｇ，Ｂの配置に関して同一である。
【００２７】
　１つの微小レンズ２１に対して、第１カラーフィルタアレイ３１を構成する赤・緑・青のうちの何れか一色のカラーフィルタ、第２カラーフィルタアレイ３２を構成する赤・緑・青のうちの何れか一色のカラーフィルタ、及び複数の画素１１が対応し、これらによって１つの結像ユニット４０が構成される。同じ結像ユニット４０を構成する第１カラーフィルタアレイ３１のカラーフィルタの色と第２カラーフィルタアレイ３２のカラーフィルタの色とは一致する。」
（ウ）「【００３２】
　このように、本発明の撮像装置は、各結像ユニット４０が同一色のカラーフィルタを光軸方向に２層備えている。更に、第１及び第２カラーフィルタアレイ３１，３２では色の異なるカラーフィルタＲ，Ｇ，Ｂが市松模様を構成するように配置されている。即ち、任意の１つのカラーフィルタの色と、このカラーフィルタの４つの辺を挟んで縦横方向に隣り合う４つのカラーフィルタの色とが異なるように、カラーフィルタＲ，Ｇ，Ｂが配置されている。この結果、上記光線Ｒ２のように、第１カラーフィルタアレイ３１を通過後、第２カラーフィルタアレイ３２に入射するまでの間に縦横方向に隣り合う結像ユニット４０間の境界を越える光線は第２カラーフィルタアレイ３２を通過することができない。従って、クロストークの発生を防止することができる。これにより、画質劣化を少なくでき、また、迷光の発生を抑えることができる。この結果、高画質画像を撮影することができる。」
（エ）「【００３７】
　図３（Ａ）に示すように、結像ユニット４０ごとに、微小レンズアレイ２０の微小レンズ２１は、被写体９０の像９１を固体撮像素子１０上に結像する。固体撮像素子１０の各受光部（画素）１１は入射した光束を光電変換する。ここで、固体撮像素子１０の水平軸をｘ軸、垂直軸をｙ軸とし、位置（ｘ，ｙ）にある受光部１１からの信号をＩ（ｘ，ｙ）とすると、固体撮像素子１０に含まれる全ての受光部１１についての信号Ｉ（ｘ，ｙ）が読み出される（ステップ１０１）。
【００３８】
　次に、この各受光部１１からの信号Ｉ（ｘ，ｙ）を結像ユニット４０ごとに分割する。即ち、図３（Ｂ）に示すように、受光部１１がｍ列×ｎ行に配置された結像ユニット４０内の第ｉ列、第ｋ行の位置にある受光部１１の位置を（ｉ，ｋ）(m,n)とし、この受光部１１からの信号をＩ（ｉ，ｋ）(m,n)とすると、上記各信号Ｉ（ｘ，ｙ）を結像ユニット４０内における信号Ｉ（ｉ，ｋ）(m,n)として取り扱う。この結果、結像ユニット４０ごとにｍ列×ｎ行の画素からなる画像が再構成される（ステップ１０３）。
【００３９】
　その後、異なる結像ユニット４０間において、信号Ｉ（ｉ，ｋ）(m,n)を処理して１枚の画像を再構築する（ステップ１０５）。この信号処理としては、上記特許文献１に記載された方法を用いることができ、その詳細説明を省略する。結像ユニット４０内における被写体像９１の形成位置が結像ユニット４０ごとに異なるために、位置（ｉ，ｋ）が同じ受光部１１からの信号Ｉ（ｉ，ｋ）(m,n)は結像ユニット４０ごとに異なる。従って、１つの結像ユニット４０に含まれる受光部１１の数（ｍ×ｎ個）を遙かに超えた高解像度の画像が得られる。」
　このような事項を踏まえ、上記（ア）〜（エ）の記載及び関連する図面並びにこの分野における技術常識を考慮すると、
（１）上記（イ）の段落【００２５】〜【００２７】、上記（エ）の段落【００３８】、図１〜図３の記載から、刊行物１には、縦横方向に配列された複数の微小レンズを備える微小レンズアレイのうちの１つの微小レンズ、カラーフィルタアレイを構成するカラーフィルタＲ，Ｇ，Ｂのうちの何れか一色のカラーフィルタ、縦横方向に配列された多数の画素を備える固体撮像素子のうちのｍ列×ｎ行に配置された複数の画素により構成される結像ユニットが、縦横方向に複数配置されている撮像装置が記載されており、また、結像ユニットごとにｍ列×ｎ行の画素からなる画像が再構成されるものである。
　ここで、特に、図１の記載によれば、
　縦横方向に配列された複数の微小レンズを備える微小レンズアレイは、５×５のマトリクス配置された微小レンズを備える微小レンズアレイといえ、
　カラーフィルタアレイは、５×５のマトリクス配置されたカラーフィルタより構成されるカラーフィルタアレイといえ、
　結像ユニットが、縦横方向に複数配置されているとは、結像ユニットが、５×５のマトリクス配置されているといえる。
　また、結像ユニットが、ｍ列×ｎ行の画素からなることは、ｍ×ｎのマトリクス配置された画素を含んでいるといえる。
　そして、結像ユニットが、５×５のマトリクス配置されていることから、縦横方向に配列された多数の画素を備える固体撮像素子は、（ｍ×５）×（ｎ×５）のマトリクス配置されているといえる。
　すなわち、刊行物１の撮像装置は、（ｍ×５）×（ｎ×５）のマトリクス配置された画素を有する固体撮像素子と、５×５のマトリクス配置された微小レンズを備える微小レンズアレイと、を含み、
　５×５のマトリクス配置された微小レンズを備える微小レンズアレイおよび（ｍ×５）×（ｎ×５）のマトリクス配置された画素は、５×５のマトリクス配置されている結像ユニットを構成し、
　各結像ユニットは、１つの微小レンズおよびｍ×ｎのマトリクス配置された画素を含み、結像ユニットごとにｍ×ｎのマトリクス配置された画素からなる画像が再構成され、
　各結像ユニットは、５×５のマトリクス配置されたカラーフィルタより構成されるカラーフィルタアレイを構成するカラーフィルタＲ，Ｇ，Ｂのうちの何れか一色のカラーフィルタを含むものといえる。
（２）上記（エ）の段落【００３９】の記載から、刊行物１の撮像装置は、異なる結像ユニット間において、特許文献１（特開２００１−６１１０９号公報）に記載された方法により、１つの結像ユニットに含まれる受光部１１の数（ｍ×ｎ個）を遙かに超えた高解像度の画像を再構築するものである。
　ここで、上記（ア）の段落【０００４】〜【０００６】の記載から、特許文献１（特開２００１−６１１０９号公報）に記載された方法は、被写体に対する個々の微小レンズの相対的位置が異なることにより、複数の結像ユニットにおいてそれぞれ得られる少しずつずれた撮影画像を用いて画像を再構築することにより得られるものである。
　そうすると、刊行物１の撮像装置は、異なる結像ユニット間において、被写体に対する個々の微小レンズの相対的位置が異なることにより、複数の結像ユニットにおいてそれぞれ得られる少しずつずれた撮影画像を用いて、１つの結像ユニットに含まれる受光部の数（ｍ×ｎ個）を遙かに超えた高解像度の画像を再構築するものである。
（３）上記（ウ）の段落【００３２】、図１の記載から、刊行物１の撮像装置は、５×５のマトリクスのマトリクス配置されたカラーフィルタより構成されるカラーフィルタアレイの各カラーフィルタＲ，Ｇ，Ｂが図１のような市松模様状に配置されているものを含むものであり、５×５のマトリクス配置されたカラーフィルタより構成されるカラーフィルタアレイの中心に存在するカラーフィルタＲが（０，０）に位置するとした場合に、カラーフィルタＲは、（２，−２）、（２，０）、（２，２）、（０，−２）、（０，０）、（０，２）、（−２，−２）、（−２，０）、（−２，２）に位置し、カラーフィルタＧは、（２，−１）、（２，１）、（１，−２）、（１，０）、（１，２）、（０，−１）、（０，１）、（−１，−２）、（−１，０）、（−１，２）、（−２，−１）、（−２，１）に位置し、カラーフィルタＢは、（１，−１）、（１，１）、（−１，−１）、（−１，１）に位置している。
　そうすると、刊行物１には以下の発明（以下、「刊行物１発明」という。）が開示されている。
　なお、（ａ）〜（ｇ）については、説明のために当審にて付したものである。（以下、「構成ａ」、・・・、「構成ｇ」という。）
「（ａ）（ｍ×５）×（ｎ×５）のマトリクス配置された画素を有する固体撮像素子と、５×５のマトリクス配置された微小レンズを備える微小レンズアレイと、を含み、
　（ｂ）５×５のマトリクス配置された微小レンズを備える微小レンズアレイおよび（ｍ×５）×（ｎ×５）のマトリクス配置された画素は、５×５のマトリクス配置されている結像ユニットを構成し、
　（ｃ）各結像ユニットは、１つの微小レンズおよびｍ×ｎのマトリクス配置された画素を含み、結像ユニットごとにｍ×ｎのマトリクス配置された画素からなる画像が再構成され、
　（ｄ）異なる結像ユニット間において、被写体に対する個々の微小レンズの相対的位置が異なることにより、複数の結像ユニットにおいてそれぞれ得られる少しずつずれた撮影画像を用いて、１つの結像ユニットに含まれる受光部の数（ｍ×ｎ個）を遙かに超えた高解像度の画像を再構築し、
　（ｅ）各結像ユニットは、５×５のマトリクス配置されたカラーフィルタより構成されるカラーフィルタアレイを構成するカラーフィルタＲ，Ｇ，Ｂのうちの何れか一色のカラーフィルタを含み、
　（ｆ）５×５のマトリクス配置されたカラーフィルタより構成されるカラーフィルタアレイの各カラーフィルタＲ，Ｇ，Ｂが、５×５のマトリクス配置されたカラーフィルタより構成されるカラーフィルタアレイの中心に存在するカラーフィルタＲを（０，０）に位置するとした場合に、カラーフィルタＲは、（２，−２）、（２，０）、（２，２）、（０，−２）、（０，０）、（０，２）、（−２，−２）、（−２，０）、（−２，２）に位置し、カラーフィルタＧは、（２，−１）、（２，１）、（１，−２）、（１，０）、（１，２）、（０，−１）、（０，１）、（−１，−２）、（−１，０）、（−１，２）、（−２，−１）、（−２，１）に位置し、カラーフィルタＢは、（１，−１）、（１，１）、（−１，−１）、（−１，１）に位置するように配置されている、
　（ｇ）撮像装置。」
４．本願発明と刊行物１発明との対比と一致点・相違点の認定
ア．対比
（ア−１）構成Ａについて
　刊行物１発明の構成ａの「（ｍ×５）×（ｎ×５）のマトリクス配置された画素を有する固体撮像素子」、「５×５のマトリクス配置された微小レンズ」は、本願発明の構成Ａの「複数のセンサ素子が形成された半導体基板」、「複数のレンズ素子」に相当する。
　ここで、刊行物１発明の構成ａの「５×５のマトリクス配置された微小レンズ」は、「微小レンズアレイ」であるが、本願発明の構成Ａのように、「複数のレンズ素子（５×５のマトリクス配置された微小レンズ）」が「ウェハレベルオプティクス」を構成するものでない点で相違するものの、「複数のレンズ素子を含む構成」である点で共通する。
　また、刊行物１の構成ａは、「固体撮像素子」と「微小レンズアレイ」がどのように組み立てられているのか、具体的な構成の記載がないのに対し、本願発明の構成Ａは、「半導体基板と、」「ウェハレベルオプティクス」が、「モノリシック集積モジュール」を構成する点で相違する。
　したがって、刊行物１発明の構成ａと本願発明の構成Ａは、「複数のセンサ素子が形成された半導体基板と、複数のレンズ素子を含む構成と、を含む」点で共通する。
（ア−２）構成Ｂについて
　刊行物１発明の構成ｂの「５×５のマトリクス配置された微小レンズを備える微小レンズアレイ」は、複数の微小レンズを含む構成であり、本願発明の構成Ｂの「前記ウェハレベルオプティクス」のウェハレベルオプティクスは、構成Ａのような「複数のレンズ素子を含むウェハレベルオプティクス」であり、上記（ア−１）で論じたように、刊行物１発明の「５×５のマトリクス配置された微小レンズ」は、「ウェハレベルオプティクス」を構成するものでない点で相違するものの、本願発明の「複数のレンズ素子」に相当するので、刊行物１発明の構成ｂの「５×５のマトリクス配置された微小レンズを備える微小レンズアレイ」と、本願発明の構成Ｂの「前記ウェハレベルオプティクス」は、「複数のレンズ素子を含む構成」である点で共通する。
　刊行物１発明の構成ｂの「（ｍ×５）×（ｎ×５）のマトリクス配置された画素」は、本願発明の構成Ｂの「前記センサ素子」に相当する。
　刊行物１発明の構成ｂの「５×５のマトリクス配置されている結像ユニット」とは、複数の結像ユニットが配置されていることであり、構成ｄより、各結像ユニットは、同じ被写体について少しずつずらした撮影画像を得ているものである。そうすると、刊行物１発明の構成ｂの「結像ユニット」は、撮影をするものといえ、本願発明の構成Ｂの「カメラ」に相当する。
　よって、刊行物１発明の構成ｂの「５×５のマトリクス配置されている結像ユニットを構成」は、本願発明の構成Ｂの「複数のカメラを形成」に相当する。
　したがって、刊行物１発明の構成ｂと本願発明の構成Ｂは、「前記複数のレンズ素子を含む構成および前記センサ素子は、複数のカメラを形成」する点で共通する。
（ア−３）構成Ｃについて
　刊行物１発明には、半導体基板が、各カメラを独立して動作可能にするように構成された制御回路を含むことに関する記載がなく、本願発明の構成Ｃに対応する構成を備えていない。
（ア−４）構成Ｄについて
　刊行物１発明の構成ｃの「各結像ユニット」、「ｍ×ｎのマトリクス配置された画素」は、本願発明の構成Ｄの「前記各カメラ」、「複数のセンサ素子」に相当する。
　刊行物１発明の構成ｃの「１つの微小レンズ」は、複数の微小レンズを含む微小レンズアレイのうちの１つの微小レンズを指し、他の微小レンズとは分離されているといえる。また、微小レンズは、光学系であるといえるので、刊行物１発明の構成ｃの「１つの微小レンズ」は、本願発明の構成Ｄの「分離された光学系」に相当する。
　刊行物１発明の構成ｃの「ｍ×ｎのマトリクス配置された画素からなる画像が再構成」とは、各結像ユニットが、被写体を撮像することによるものであるから、各結像ユニットは、被写体を撮像するように構成されているといえ、本願発明の構成Ｄの「前記各カメラは、」「シーンの画像を撮像するように構成」に相当する。
　したがって、刊行物１発明の構成ｃは、本願発明の構成Ｄに相当する。
（ア−５）構成Ｅについて
　刊行物１発明の構成ｄの「少しずつずれた撮影画像を用いて、１つの結像ユニットに含まれる受光部の数（ｍ×ｎ個）を遙かに超えた高解像度の画像」とは、画素単位よりも細かい大きさで画素ずらしをすることにより生成される高解像度の画像のことであり、構成ｄは、『各結像ユニットの微小レンズは、各結像ユニットが、他の結像ユニットにおいて得られる撮影範囲に対して少しずつずらした撮影範囲となるようにし、少しずつずらすことは、画素単位よりも細かいずれによって定まるずれを有する画素を含むようにするものである』といえる。
　そうすると、刊行物１発明の構成ｄの『各結像ユニット』、『微小レンズ』、『他の結像ユニットにおいて得られる撮影範囲』、『少しずつずらした撮影範囲』、『少しずつずらすことは、画素単位よりも細かいずれによって定まるずれを有する画素を含む』は、本願発明の構成Ｅの「前記各カメラ」、「光学系」、「他のカメラの視野」、「シフトされた視野」、「各シフトがシーンの視野でシフトされた固有のサブピクセルを含んで」に相当する。
　したがって、刊行物１発明の構成ｄは、本願発明の構成Ｅに相当する。
（ア−６）構成Ｆについて
　刊行物１発明の構成ｅの「各結像ユニット」、「５×５のマトリクス配置されたカラーフィルタより構成されるカラーフィルタアレイを構成するカラーフィルタＲ，Ｇ，Ｂのうちの何れか一色のカラーフィルタ」は、本願発明の構成Ｆの「前記各カメラ」、「少なくとも３つの異なるカラーフィルタのうちの１つ」に相当するので、刊行物１発明の構成ｅは、本願発明の構成Ｆに相当する。
（ア−７）構成Ｇについて
　刊行物１発明の構成ｆについて、カラーフィルタＲは、（２，−２）、（２，０）、（２，２）、（０，−２）、（０，０）、（０，２）、（−２，−２）、（−２，０）、（−２，２）に位置しているので、マトリクスの中心（０，０）に対して、周囲に均一に分布しているものといえる。また、カラーフィルタＧやカラーフィルタＢについても同様に、マトリクスの中心（０，０）に対して、周囲に均一に分布しているものといえる。
　したがって、カラーフィルタＲ，Ｇ，Ｂいずれにおいても、カラーフィルタアレイの中心に対して、周囲に均一に分布している構成を含むものであるから、刊行物１発明の構成ｆは、本願発明の構成Ｇに相当する。
（ア−８）構成Ｈについて
　刊行物１発明の構成ｇの「撮像装置」は、５×５のマトリクス配置されている結像ユニットで構成されているので、結像ユニットがアレイ状に配置されているといえる。
　そして、結像ユニットは、本願発明の「カメラ」に相当するので、刊行物１発明の構成ｇは、本願発明の構成Ｈに相当する。
イ．一致点・相違点
　したがって、刊行物１発明と本願発明は、以下の点で一致ないし相違する。
［一致点］
「複数のセンサ素子が形成された半導体基板と、複数のレンズ素子を含む構成と、を含み、
　前記複数のレンズ素子を含む構成および前記センサ素子は、複数のカメラを形成し、
　前記各カメラは、分離された光学系および複数のセンサ素子を含み、かつシーンの画像を撮像するように構成され、
　前記各カメラの光学系は、各カメラが、他のカメラの視野に対してシフトされた視野を有するように構成され、かつ各シフトがシーンの視野でシフトされた固有のサブピクセルを含んで構成され、
　前記各カメラは、少なくとも３つの異なるカラーフィルタのうちの１つを含み、
　同一の型のフィルタを有するカメラは、前記複数のカメラの幾何学的中心の周囲に均一に分布する、
　カメラアレイ。」
［相違点］
（相違点１）
　複数のセンサ素子と複数のレンズ素子に関し、本願発明は、
「複数のレンズ素子」が、「ウェハレベルオプティクス」を構成し、
「複数のセンサ素子が形成された半導体基板」とともに、「モノリシック集積モジュール」を構成し、
「ウェハレベルオプティクスおよび前記センサ素子」により複数のカメラが形成されるのに対し、
刊行物１発明は、
「５×５のマトリクス配置された微小レンズ（複数のレンズ素子）」は「微小レンズアレイ」であるが、「ウェハレベルオプティクス」を構成しているか不明であり、
「複数のセンサ素子が形成された半導体基板」とともに、「モノリシック集積モジュール」を構成するものであるか不明であり、
「微小レンズアレイおよび（ｍ×５）×（ｎ×５）のマトリクス配置された画素（前記センサ素子）」により複数のカメラが形成されるが、「ウェハレベルオプティクス」を構成しているか不明であるため、「ウェハレベルオプティクスおよび前記センサ素子」により複数のカメラが形成されるか不明である点。
（相違点２）
　本願発明は、前記半導体基板は、各カメラを独立して動作可能にするように構成された制御回路を含む構成であるのに対し、刊行物１発明は、そのような構成を備えていない点。
ウ．当審の判断
　上記相違点について検討する。
（ウ−１）相違点１について
　半導体基板に形成されたセンサ素子が、複数のレンズ素子とともに一体化され集積されているモジュールとなっている構成は、撮像装置として、出願時に周知の構成（例えば、特開２００８−１０５３５号公報の段落【０００２】、【００１０】〜【００１２】、特開２００６−３４５２３３号公報の段落【０００２】、【０００３】、【００１１】〜【００１５】、特開２００２−３６８２３５号公報の段落【０００６】〜【０００９】等を参照。）である。
　また、レンズ素子が、ウェハレベルオプティクスを構成することについても、出願時において周知の構成（例えば、米国特許第６０４９４３０号明細書の１欄８行以降のwafer level opticsの製造に関する記載、国際公開第２００８／０２０８９９号の段落［０４６２］等のwafer-level opticsに関する記載を参照。）である。
　
　刊行物１発明のような「複数の画素を有する固体撮像素子と、複数の微小レンズを含む微小レンズアレイと、を含」む撮像装置において、画素（センサ素子）と微小レンズ（レンズ素子）を含む構成として、具体的な構成を考えた場合に、上述したような、撮像装置として周知の構成である、半導体基板に形成されたセンサ素子が、複数のレンズ素子とともに一体化され集積されているモジュールを採用することは、当業者が容易に想到し得るものであり、その際に、上記周知の構成である、レンズ素子がウェハレベルオプティクスを構成するという構成を勘案することにより、本願発明の「複数のセンサ素子が形成された半導体基板と、複数のレンズ素子を含むウェハレベルオプティクスと、を含むモノリシック集積モジュールを備え」る構成とすることは、当業者が、適宜なし得るものである。
　そして、複数の微小レンズ（レンズ素子）を含むウェハレベルオプティクスという構成とした場合には、ウェハレベルオプティクスは、複数のカメラを形成するものとなる。
（ウ−２）相違点２について
　光センサの各領域が、独立して動作可能にするような制御回路を設けることは、例えば、原審の拒絶理由に引用された、特表２００７−５２０１０７号公報の段落【００２８】等に記載されているように周知の技術（なお、各領域を独立して動作可能にする構成は、特開２００６−１３５８２３号公報の段落【００３２】等も参照。また、基板に制御回路を設けることは、普通に行われていることである。）のである。
　刊行物１発明において、各結像ユニットは、少しずつずれた撮影画像を用いるものであるから、撮影に際して、各結像ユニットで得られる撮影画像を調整するために、独立に制御できるようにすることは当然に考えることであり、その場合に、上記周知の構成を採用して、本願発明の「前記半導体基板は、各カメラを独立して動作可能にするように構成された制御回路を含」むような構成とすることは、当業者が容易に想到し得るものである。
　よって、各相違点については、格別のものではなく、本願発明に関する作用・効果も、その容易想到である構成から当業者が予測できる範囲のものである。
　したがって、本願発明は、刊行物１発明及び周知の技術に基づいて、当業者が容易に発明することができたものである。
６．むすび
　以上のとおり、本願の請求項１４に係る発明は、刊行物１に記載された発明及び周知の技術に基づいて、当業者が容易に発明することができたものであるから、特許法第２９条第２項の規定により特許を受けることができない。
　したがって、本願は、その余の請求項について論及するまでもなく、拒絶すべきものである。
　よって、結論のとおり審決する。